(57)【要約】【課題】  簡単な構成で、一般個人や小規模の事業主らも簡単に使用できるビデオ記録と対応させた盗聴器・隠しカメラの検知方法と装置を提供する。【解決手段】  電子カメラで人間の動きを記録し、この記録と時間同期した電波探索装置が到来電波の周波数を決定し、アンテナの起電力を基準電圧と比較し、基準電圧より高い場合は、周波数ＭＨｚ、波形（スペクトラム）、電界強度Ｅｈ、映像信号、音声信号の監視データを識別コードとともにインターネットを介して外部へ送出する。監視データを受信した管理者コンピュータでは、電波ファイルを参照してどの製造元によるかを判定する。電波探索装置の所有者を顧客ファイルから読み出し、当該顧客に盗聴有りの警報を通知する。【選択図】図１
2008140347.tif 000002
【特許請求の範囲】
【請求項１】
盗聴・盗撮装置から発生された電波が、部屋の出入り口近傍に設けられた電波探索装置のアンテナに到着すると、周波数スキャン部は当該時間ｔｈと共振電波の周波数Ｈｚを決定し、同調高周波信号は時間ｔｈデータとともに増幅・検波器に送られ、
増幅・検波器は、同調された搬送波電波を増幅し、その後搬送波から観測電波中から各種データＤを復元し、規格増幅率で増幅した平均電界強度（電圧）Ｅを出力し、映像・音声分離回路は観測電波のデータＤ中の各周波数毎の波形（スペクトラム）、電界強度Ｅｈ、映像信号、音声信号を個別データに分離し、これらデータは記録用メモリに記録され、
比較部では基準電圧Ｅｓと観測時間ｔｈにおける平均電界強度（電圧）Ｅとを比較し、平均電界強度Ｅｈが基準電圧Ｅｓより高ければ、警告信号Ｋを出力し、
読み出し部は警告信号Ｋにより、記録用メモリから時間ｔｈに対応した観測電波のデータＤを読み出し、決定部と通信部とに向けて出力し、
決定部は受信した観測電波のデータＤを、既知電波メモリに予め記録した送信機データと逐次比較し、一致するものがあれば、侵入信号Ｗを制御信号として出力し、
前記通信部は、侵入信号Ｗに制御されて、読み出し部から受けた前記観測電波のデータＤと前記電波探索装置のＩＤとをインターネットを介して管理者コンピュータに送信し、
前記電波探索装置に一体的に設けた電子カメラにより前記出入り口を出入りする人間を撮影して、ビデオデータを前記観測時間ｔｈと対応付けてメモリに記録し、
前記管理者コンピュータは前記観測電波のデータＤと前記電波探索装置のＩＤを受信し、ＣＰＵは、前記電波探索装置のＩＤが顧客ファイルにある識別コードＩＤと一致するかどうかを検索し、このシステムの加入者であることを確認し、
次に前記ＣＰＵは、前記観測電波のデータＤと前記電波探索装置のＩＤを記憶装置に転記し、前記ＣＰＵは送信者の氏名、住所、設置場所位置、電話番号、メールアドレスを表示部ＬＣＤに表示し、
更に前記ＣＰＵは時間ｔｈに対応した前記観測電波のデータＤ中の前記周波数、波形（スペクトラム）、電界強度Ｅｈのグラフを表示部に表示し、
前記ＣＰＵは警告部から警報信号Ｒを読出し、警報ランプを点灯し、前記表示部ＬＣＤに盗聴発生文字を表示して、前記管理者コンピュータの常駐している常勤管理者に知らせ、
前記管理者は前記送信者の氏名、住所、設置場所位置、電話番号、メールアドレスを表示部ＬＣＤ上で確認し、キーを操作して前記ＣＰＵにより緊急プログラムとビデオ送信命令を読み出し、これらを通信制御部によりインターネットを介して当該送信者の前記電波探索装置に送信し、
前記緊急プログラムを受けた前記電波探索装置の前記周波数スキャン部は、前記観測電波のデータＤを発生した周波数帯に時間をかけて、或は繰返し同調するように動作し、
比較的多量の観測電波に関する周波数、波形（スペクトラム）、電界強度Ｅｈ、映像信号、音声信号のデータＤが補足され、
当該電波探索装置から観測電波に関する多量の前記データＤと、前記ビデオ送信命令を受けた制御部が前記メモリから前記観測時間ｔｈと対応付けられた当該時間ｔｈの所定時間前からのビデオデータとが前記管理者コンピュータに返送され、前記表示部ＬＣＤに当該周波数、波形（スペクトラム）及びビデオ映像が表示され、更に前記観測電波のデータＤ中に映像信号があれば、映像がリアルタイムで表示され、音声信号があれば、音声がリアルタイムでスピーカーから聞こえ、
前記管理者はこれら映像又は音声を見・聞きして盗聴・盗撮を確認し、前記ビデオ映像を見ることで前記出入りした人間を観察し、前記送信者の責任者に電話や電子により伝達するようにしたインターネットを利用した盗聴器・隠しカメラの検知方法。
【請求項２】
部屋の出入り口近傍に設けられた電波探索装置とアンテナと、盗聴・盗撮装置から発生された電波が、前記アンテナに到着すると、当該時間ｔｈと共振電波の周波数Ｈｚを決定し、同調高周波信号は時間ｔｈデータとともに増幅・検波器に送る送周波数スキャン部と、
同調された搬送波電波を増幅し、その後搬送波から観測電波中から各種データＤを復元し、規格増幅率で増幅した平均電界強度（電圧）Ｅを出力する増幅・検波器と、前記観測電波のデータＤを受けて、各周波数毎の波形（スペクトラム）、電界強度Ｅｈ、映像信号、音声信号を個別データに分離する映像・音声分離回路と、これらデータを記録する記録用メモリと、基準電圧Ｅｓと観測時間ｔｈにおける平均電界強度（電圧）Ｅとを比較し、平均電界強度Ｅｈが基準電圧Ｅｓより高ければ、警告信号Ｋを出力する比較部と、警告信号Ｋにより、記録用メモリから時間ｔｈに対応した観測電波のデータＤを読み出し、決定部と通信部とに向けて出力する読み出し部と、既知電波メモリから読み出された観測電波のデータを、既知電波メモリにある複数の送信（盗聴・盗撮）機データと逐次比較し、一致するものがあれば、侵入信号Ｗを制御信号として出力する決定部とを前記電波探索装置に設け、
この電波探索装置に一体的に設けた電子カメラと、この電子カメラにより前記出入り口を出入りする人間を撮影してえられたビデオデータを前記観測時間ｔｈと対応付けて記録するメモリとを備え、この電波探索装置とインターネットを介して通信可能な管理者コンピュータを設け、
前記通信部は、侵入信号Ｗに制御されて、前記読み出し部から受けた前記観測電波のデータＤと自電波探索装置のＩＤとをインターネットを介して管理者コンピュータに送信し、
前記管理者コンピュータには、前記観測電波のデータＤと前記電波探索装置のＩＤを受信し、受信した前記ＩＤが顧客ファイルにある識別コードＩＤと一致するかどうかを検索し、このシステムの加入者であることを確認し、時間ｔｈに対応した前記観測電波のデータＤと当該事務所のＩＤを記憶装置に転記し、送信者の氏名、住所、設置場所位置、電話番号、メールアドレスを表示部ＬＣＤに表示するＣＰＵとを備え、
前記ＣＰＵが時間ｔｈに対応した前記観測電波のデータＤ中の前記周波数、波形（スペクトラム）、電界強度Ｅｈのグラフを表示部に表示し、
前記ＣＰＵは警告部から警報信号Ｒを読出し、警報ランプを点灯し、前記表示部ＬＣＤに盗聴発生文字を表示して、前記管理者コンピュータの常時監視している常勤管理者に知らせ、
前記管理者は前記電波探索装置所有者の氏名、住所、設置場所位置、電話番号、メールアドレスを表示部ＬＣＤ上で確認し、前記電波探索装置に対してキーを使用して緊急プログラムとビデオ送信命令を送信し、前記緊急プログラムを受けた前記電波探索装置の前記周波数スキャン部は、前記観測電波のデータＤを発生した周波数帯に時間をかけて、或は繰返し同調するように動作し、比較的多量の観測電波に関する周波数、波形（スペクトラム）、電界強度Ｅｈ、映像信号、音声信号のデータＤが補足され、
前記ビデオ送信命令受けた制御部は、前記メモリから前記観測時間ｔｈと対応付けられた当該時間ｔｈの所定時間前からのビデオデータを読み出し、これら多量のデータＤとビデオデータが通信制御部を介しインターネットを通して前記管理者コンピュータに返送され、前記表示部ＬＣＤに当該周波数、波形（スペクトラム）及びビデオ映像が表示され、更に映像信号があれば、映像がリアルタイムで表示され、音声信号があれば、音声がリアルタイムでスピーカーから聞こえ、
前記管理者はこれら映像又は音声を見・聞きして盗聴・盗撮を確認し、前記ビデオ映像を観察して前記出入口を通過した人間を観察し、前記送信者の責任者に電話や電子により伝達するようにしたインターネットを利用した盗聴器・隠しカメラの検知装置。
【発明の詳細な説明】
【技術分野】
【０００１】  本発明は、インターネットを利用した盗聴器・隠しカメラの検知方法と装置に関するものであり、特に、盗聴・盗撮影装置から発生する電波に基づいて盗聴・盗撮影装置の存在の有無を判断してその判断された結果値を警告出力することによって、より確実な盗聴・盗撮影装置の存在の有無を被盗聴者に認知させることができるようにする、インターネットを利用した盗聴・盗撮影装置検知システム及びその作動方法に関するものである。
【背景技術】
【０００２】  近来、急速な発展を成し遂げている電子文明は、各種の製品を自動化させ、現代人らの生活をさらに潤沢で便利に向上させている。しかし、便利さの中にはそれに相反して個人の私生活が、益々深刻に露出される問題が提起されている。
いいかえれば、録音機、盗聴器及び盗撮カメラのような盗聴・盗撮影装置の開発が急速化されることによって、これらを本来の開発目的として使用する場合に、希望の場所で便利に利用することができるようになった。しかし、他の一方としては、これを悪意的な目的で使用する場合が頻繁になり、個人や企業あるいは国家の機密や秘密情報が、むしろ容易に漏出されえるなどの社会的な問題にまで拡大されているのが実情である。【０００３】  特に、昨今に入ってはインターネットを通じて情報や資料が容易に伝播できるために、個人や公人の私生活が盗聴・盗撮影装置に捉えられた後、非合理的で非倫理的に流布される場合、実際に該当個人が受ける被害は、甚大である。実際に新聞やＴＶなどの言論を通じて、本人の意思とは関係なく撮影された盗撮カメラによって、深刻な被害を受けた公人らの例に頻繁に接することができる。
これに、企業や国家的には重要な機密漏れを阻止するための手段として、国際的な会議場所や国家や大企業の重要施設、又、個人の私的な空間では、持続的な盗聴・盗撮影装置の存在の有無を周期的にチェックすることによって、このような私生活侵害によって負われるようになる情報の漏洩を源泉的に遮断している。【０００４】  一方、既存の検知装備は、一定の電波信号が発生するとブザー音で使用者に知らせるシステムで構成されているために、検知装置が誤動作を起こす場合は、使用者の周辺に存在するあらゆる電波に反応して検知装備が動作されるので、盗聴・盗撮影装置が実際に存在したか否かに対する正確な判断を下すのが事実上不可能であった。【０００５】  そして、盗撮カメラを含んだ盗聴・盗撮影装置が秘密に設置されているとしても、それに対する確実な対応装置がないために、盗聴・盗撮影装置に対して無防備状態にならざるをえない問題点があった。
特に、現在市販されている盗撮カメラ探知装備は、単純な機能の電波、すなわち普段周辺に存在している電波の強さを判断した後に、それと比較して相対的に強い電波信号が発生するとブザー音で使用者に知らせる、電界値で判断する単純な装備があるだけである。
したがって、携帯電話や他の電波を発生する通常の機器が作動されたにもかかわらず、盗撮カメラ探知装備が稼動されてブザー音を発生させていることから、実際に盗聴・盗撮影装置検知システムとしての信頼性が落ちざるをえない。
【特許文献１】特開２００５−１４９４６０号公報
【発明の開示】
【発明が解決しようとする課題】
【０００６】  盗聴・盗撮影装置の存在可否をチェックする高精度な電波検知器は、規模が大きい大企業や国家施設で使用が可能なものであって、一般個人や中小企業でこのような電波検知器を利用して、あらゆる盗聴・盗撮影装置の存在の有無をチェックするということは、考えられないほど難しいのが実情である。
本発明は、このような問題点を解消するために案出されたものであり、盗聴・盗撮影装置から発生する電波に基づいてインターネットを利用して存在の有無を判断し、判断された結果値を各種の電子機器の画面に出力する。
確実に盗聴・盗撮影装置の存在の有無を使用者に認知させることができるようにし、場合によっては盗聴・盗撮影装置の設置位置までもが追跡可能な、インターネットを利用した盗聴器・隠しカメラの検知方法と装置を提供することが目的である。【０００７】  本発明の他の目的は、簡単な構成で比較的に安くてコンパクトにすることによって、一般個人だけでなく小規模の事業主らも簡単に使用することができる、インターネットを利用した盗聴器・隠しカメラの検知方法と装置を提供することである。
【課題を解決するための手段】
【０００８】  この発明は、上記問題を解決するためになされたもので、盗聴・盗撮装置から発生された電波が、部屋の出入り口近傍に設けられた電波探索装置のアンテナに到着すると、周波数スキャン部は当該時間ｔｈと共振電波の周波数Ｈｚを決定し、同調高周波信号は時間ｔｈデータとともに増幅・検波器に送られ、増幅・検波器は、同調された搬送波電波を増幅し、その後搬送波から観測電波中から各種データＤを復元し、規格増幅率で増幅した平均電界強度（電圧）Ｅを出力し、映像・音声分離回路は観測電波のデータＤ中の各周波数毎の波形（スペクトラム）、電界強度Ｅｈ、映像信号、音声信号を個別データに分離し、これらデータは記録用メモリに記録され、比較部では基準電圧Ｅｓと観測時間ｔｈにおける平均電界強度（電圧）Ｅとを比較し、平均電界強度Ｅｈが基準電圧Ｅｓより高ければ、警告信号Ｋを出力し、読み出し部は警告信号Ｋにより、記録用メモリから時間ｔｈに対応した観測電波のデータＤを読み出し、決定部と通信部とに向けて出力し、決定部は受信した観測電波のデータＤを、既知電波メモリに予め記録した送信機データと逐次比較し、一致するものがあれば、侵入信号Ｗを制御信号として出力し、前記通信部は、侵入信号Ｗに制御されて、読み出し部から受けた前記観測電波のデータＤと前記電波探索装置のＩＤとをインターネットを介して管理者コンピュータに送信し、前記電波探索装置に一体的に設けた電子カメラにより前記出入り口を出入りする人間を撮影して、ビデオデータを前記観測時間ｔｈと対応付けてメモリに記録し、前記管理者コンピュータは前記観測電波のデータＤと前記電波探索装置のＩＤを受信し、ＣＰＵは、前記電波探索装置のＩＤが顧客ファイルにある識別コードＩＤと一致するかどうかを検索し、このシステムの加入者であることを確認し、次に前記ＣＰＵは、前記観測電波のデータＤと前記電波探索装置のＩＤを記憶装置に転記し、前記ＣＰＵは送信者の氏名、住所、設置場所位置、電話番号、メールアドレスを表示部ＬＣＤに表示し、更に前記ＣＰＵは時間ｔｈに対応した前記観測電波のデータＤ中の前記周波数、波形（スペクトラム）、電界強度Ｅｈのグラフを表示部に表示し、
前記ＣＰＵは警告部から警報信号Ｒを読出し、警報ランプを点灯し、前記表示部ＬＣＤに盗聴発生文字を表示して、前記管理者コンピュータの常駐している常勤管理者に知らせ、
前記管理者は前記送信者の氏名、住所、設置場所位置、電話番号、メールアドレスを表示部ＬＣＤ上で確認し、キーを操作して前記ＣＰＵにより緊急プログラムとビデオ送信命令を読み出し、これらを通信制御部によりインターネットを介して当該送信者の前記電波探索装置に送信し、前記緊急プログラムを受けた前記電波探索装置の前記周波数スキャン部は、前記観測電波のデータＤを発生した周波数帯に時間をかけて、或は繰返し同調するように動作し、比較的多量の観測電波に関する周波数、波形（スペクトラム）、電界強度Ｅｈ、映像信号、音声信号のデータＤが補足され、当該電波探索装置から観測電波に関する多量の前記データＤと、前記ビデオ送信命令を受けた制御部が前記メモリから前記観測時間ｔｈと対応付けられた当該時間ｔｈの所定時間前からのビデオデータとが前記管理者コンピュータに返送され、前記表示部ＬＣＤに当該周波数、波形（スペクトラム）及びビデオ映像が表示され、更に前記観測電波のデータＤ中に映像信号があれば、映像がリアルタイムで表示され、音声信号があれば、音声がリアルタイムでスピーカーから聞こえ、前記管理者はこれら映像又は音声を見・聞きして盗聴・盗撮を確認し、前記ビデオ映像を見ることで前記出入りした人間を観察し、前記送信者の責任者に電話や電子により伝達するようにしたことを特徴とする。
【発明の効果】
【０００９】  規模が大きい大企業や国家施設で使用が可能なシステムと同様に、一般個人や中小企業でもこのような空間安全性・秘密性を確保できる。逆に大企業や国家施設にまで利用が拡大されて低価格での実現される。監視ビデオ映像と関連付けることで、盗聴・盗撮装置の不正使用予防に確実に貢献できる。
【発明を実施するための最良の形態】
【実施例】
【００１０】以下、本発明の望ましい実施例について詳細に説明する。
図１において、盗聴・盗撮影装置検知システムには、数多くの加入者、例えばスポーツジムの更衣室、デパートの試着室、映画館のトイレなどがある。
図１、図２では加入者の１箇所の脱衣所１を代表として内部配置図を示し、以下説明する。脱衣所１の室内には置き棚２、高い棚３、テーブル４等が配置されている。脱衣所１にはドア６が取り付けられている。ドア６上には脱衣所１の外側に向けて高い位置には電波探索装置２０が設置され、電波探索装置２０には電子カメラ５が組み合わせて設けられている。電子カメラ５は脱衣所１に出入りする人物Ｈを撮影しビデオデータが所定時間分記録される。【００１１】  衣類が置かれた置き棚２の片隅に盗聴・盗撮装置１０が隠して置かれたと仮定する。盗聴・盗撮装置１０というのは、所定の電波を発生させる録音機や盗撮カメラであり、録音・撮影した電気信号を電波にして脱衣所１外に自動的に伝播させ、盗聴・盗撮者がこの電波を１０ｍ以内に駐車した車の中などで受信する。この出力は極めて弱く電波規制法で定める出力の装置である。
録音・撮影したデータは、盗聴・盗撮者グループがその後再現して公序良俗に違反して悪用するためのものである。【００１２】  電波探索装置２０または光ファイバーや電話（通信ケーブル）等の通信回線（ＡＤＳＬ）９を介してインターネット１１に接続され、インターネット１１には盗聴・盗撮影装置検知システムに参加している他の脱衣所１やＡＴＭの電波探索装置２０が同様に接続されている。他の脱衣所１では面積や室内事務具の配置は異なるがこのシステムに基本的な電波探索装置２０が適宜設定される。更にインターネット１１にはこの盗聴・盗撮影装置検知システムを管理する管理者コンピュータ１３が接続されている。管理者コンピュータ１３はＣＰＵ１５や後述する各種顧客ファイル１６、１７等を備えている。【００１３】  脱衣所１のドア６上に設置される電波探索装置２０について図２で詳しく説明する。複数のアンテナ２１が設けられ、各アンテナ２１は互いに別の周波数帯を受信する。各アンテナ２１では受信した微弱な電波から微弱な起電力を発生する。微弱な起電力は電波探索装置２０に送られる。
電波探索装置２０はビデオ記録用のメモリ８と周波数スキャン部２３と増幅・検波器２６と記録用メモリ２４と既知電波メモリ２５と基準電圧メモリ２７と比較部２８と読み出し部２９と決定部３０と通信部３１と警報ランプ又はブザー３２とこれらに時間（クロック）信号を与え全体を制御するＣＰＵ３３と映像・音声分離回路３８から構成される。ＣＰＵ３３内には脱衣所１の即ち当該電波探索装置２０の所有者のＩＤコードが登録されている。【００１４】  電子カメラ５からのビデオデータはビデオ記録用のメモリ８にＣＰＵ３３が発生する時間の関数として記録される。周波数スキャン部２３は、コイルとコンデンサーからなる同調回路であって、例えば各アンテナ２１が受け持つ各周波数帯１ＭＨｚ〜２ＧＨｚ、２ＧＨｚ〜４ＧＨｚ、４ＧＨｚ〜６．４ＧＨｚを所定時間感覚に順時切り替（Ｌ・Ｃを変化）えて、到来電波に同調する。共振して捉えた電波の微弱起電力を次の増幅・検波器２６に伝達する。例えばスキャンステップ（粗さ）を５ＫＨｚから１ＭＨｚの間で切り替える。
音声や映像信号で変調された電波は、信号量に依存する占有帯域幅を有しており、厳密な特定の周波数ではなく一定の幅の周波数で検出できるので、スキャンステップ（粗さ）を５ＫＨｚ毎にＬ・Ｃ回路を同調させても受信できる。【００１５】  増幅・検波器２６は、ＣＰＵ３３から得た時間ｔ（所定時間帯）内で周波数スキャン部２３で設定され同調された搬送波電波を増幅し、その後搬送波から音声や映像信号を復元するとともに、規格増幅率で増幅した平均電界強度（電圧）Ｅを出力する。
記録用メモリ２４は、ＣＰＵ３３から得た時間ｔｎ（所定長のサンプリング時間）、に対応した周波数ＭＨｚ、波形（スペクトラム）、電界強度Ｅ、映像信号、音声信号を経過時間毎に記録する。記録用メモリ２４は、低い番地に新しいデータを書き込み、更に新しいデータが来ると先のデータを次に高い番地に移し、最新データを最初の低い番地に書き込む。次々に発生するデータが到来すると、古いデータを次々に更に高い番地に移していき、所定の領域を越えると古いデータから順次出力して排出（消去）するＦＩＦＯメモリである。同様にメモリ８のビデオデータも例えば３時間ごとに古いデータを廃棄する。【００１６】  既知電波メモリ２５には、盗聴・盗撮影装置検知システムの管理者によるまた自社で調査回収して、予め調べた送信機メーカー（製造元）名とその盗聴・盗撮装置１０、送信機の周波数、波形（スペクトラム）、出力値、価格、重量、サイズなどを記録している。
基準電圧メモリ２７には、予め基準電圧Ｅｓが記録されており、基準電圧Ｅｓとは所定以上の強度の電磁波が存在した時にアンテナ２１に発生すると実験的に予想された強度である。
比較部２８では基準電圧メモリ２７から読み出した基準電圧Ｅｓと増幅・検波器２６からの平均電界強度（電圧）Ｅとを比較し、例えば平均電界強度Ｅｈが基準電圧Ｅｓより高ければ、警告信号Ｋを読み出し部２９に向けて出力する。【００１７】  読み出し部２９は警告信号Ｋを受けて、記録用メモリ２４から時間ｔｈ（所定長のサンプリング時間）に対応した観測電波のデータＤ、即ち周波数ＭＨｚ、波形（スペクトラム）、電界強度Ｅｈ、映像信号、音声信号を読み出し、決定部３０と通信部３１とに向けてデータ出力する。
決定部３０は既知電波メモリ２５から読み出された時間ｔｈ（所定長のサンプリング時間）に対応した観測電波のデータと、既知電波メモリ２５にある複数の送信（盗聴・盗撮）機データとを比較し、一致するものがあれば、侵入信号Ｗを通信部３１とＣＰＵ３３と警報ランプ又はブザー３２とに制御信号として出力する。【００１８】  通信部３１は、侵入信号Ｗを受けて、読み出し部２９から受けた時間ｔｈ（所定長のサンプリング時間）に対応した観測電波のデータＤ、即ち周波数ＭＨｚ、波形（スペクトラム）、電界強度Ｅｈ、映像信号、音声信号と自己のＩＤとをインターネットを介して管理者コンピュータ１３に送信する。
映像・音声分離回路３８  は観測電波のデータＤ中の各周波数ＭＨｚ、波形（スペクトラム）、電界強度Ｅｈ、映像信号、音声信号を個別データに分離する。
警報ランプ又はブザー３２は、侵入信号Ｗを受けて赤く点滅しまたはブザー音を発生する。【００１９】次に、図３で管理者コンピュータ１３を説明する。管理者コンピュータ１３は後述のビデオデータを記録するハードディスク７と通信制御部１４と中央制御部ＣＰＵ１５と演算用メモリ１２と顧客ファイル１６と電波ファイル１７と記憶装置１９とキー１８と表示部ＬＣＤ２１と警告部３２と通常プログラム３４と緊急プログラム３５と警報ランプ３６とを備えている。中央制御部ＣＰＵ１５は所定プログラムに従いこれら各部を制御する。管理者コンピュータ１３側には常時管理者が勤めて表示部ＬＣＤ２１と警報ランプ３６とを監視している。【００２０】  通信制御部１４は、管理者コンピュータ１３をインターネット１１を介して複数の電波探索装置２０と通信する。
顧客ファイル１６には盗聴・盗撮影装置検知システムに参加している各脱衣所１の所有者や経営者や運営者に関するデータを予め記録している。ＩＤコード、氏名、住所、電話、図１の配置図面、使用ＬＡＮ、ＰＨＳ、携帯電話、ハム無線、ＧＰＳ等の情報は、このシステムに参加する際に双方の契約に従って登録される。【００２１】  電波ファイル１７には管理者コンピュータ１３側で調査して、予め調べた送信機メーカー（製造元）名とその盗聴・盗撮装置１０即ち送信機（盗聴器）の周波数、出力値、価格、重量、サイズなどを記録している。一般に盗聴・盗撮者はこれらの製品を市場から購入したものを殆ど使用している。例えば送信機メーカー（製造元）名が朝日テックなら，し様は１．５ＧＨｚ帯，出力０．５Ｗ、ＦＭ変調、映像と音声、サイズ１０ｍｍ直径、長さ１０ｍｍ、重量１０ｇなどである。
キー１８により管理者は、新たな参加者を顧客ファイル１６に追加し、新たに発見された送信機メーカーの情報を電波ファイル１７に入力する。
特別仕様や自作品は世界的な情報組織が使用し、これに対応する安全確保対策は高価な設備が準備されている。【００２２】  記憶装置１９にはインターネット１１を介して各電波探索装置２０から送られてきた通常連絡データと観測電波のデータＤ、即ち周波数ＭＨｚ、波形（スペクトラム）、電界強度Ｅｈ、映像信号、音声信号とを各ＩＤデータ及び監視時間と対応付けて記録される。
通常プログラム３４と緊急プログラム３５とビデオ送信命令３９はインターネット１１を介して電波探索装置２０に送られる命令である。
通常プログラム３４を受けた時に電波探索装置２０の周波数スキャン部２３は、各周波数帯１ＭＨｚ〜２ＧＨｚ、２ＧＨｚ〜４ＧＨｚ、４ＧＨｚ〜６．４ＧＨｚを均等に所定時間間隔に順時切り替（Ｌ・Ｃを変化）えて、到来電波に同調する。
緊急プログラム３５を受けた時に周波数スキャン部２３は、観測電波のデータＤを発生した周波数ＭＨｚ帯に時間をかけて、或は繰返し同調（チューニング）するように動作する。【００２３】  図２において、ある脱衣所１に仕掛けられた盗聴・盗撮装置１０から発生された電波が、電波探索装置２０の何れかのアンテナ２１に到着すると、周波数スキャン部２３は当該時間ｔｈと共振電波の周波数Ｈｚを決定し、同調高周波信号は時間ｔｈデータとともに増幅・検波器２６に送られる。
一般入場者とともに仕掛け人はドア６を通って入室するので、電子カメラ５がその様子を撮影し、ＣＰＵ３３による計測時間軸に従ったビデオデータがメモリ８に記録される。
増幅・検波器２６は、同調された搬送波電波を増幅し、その後搬送波から観測電波のデータＤ、音声や映像信号等を復元し、規格増幅率で増幅した平均電界強度（電圧）Ｅを出力する。映像・音声分離回路３８  は観測電波のデータＤ中の各周波数ＭＨｚ、波形（スペクトラム）、電界強度Ｅｈ、映像信号、音声信号を個別データに分離する。
映像・音声分離回路３８からのこれらデータは記録用メモリ２４の該当位置に記録される。【００２４】  比較部２８では基準電圧Ｅｓと観測時間ｔｈにおける平均電界強度（電圧）Ｅとを比較し、平均電界強度Ｅｈが基準電圧Ｅｓより高ければ、警告信号Ｋを出力する。
読み出し部２９は警告信号Ｋにより、記録用メモリ２４から時間ｔｈ（所定長のサンプリング時間）に対応した観測電波のデータＤを読み出し、決定部３０と通信部３１とに向けて出力する。
決定部３０は既知電波メモリ２５から読み出された観測電波のデータＤを、既知電波メモリ２５にある複数の送信（盗聴・盗撮）機データと逐次比較し、一致するものがあれば、侵入信号Ｗを出力する。【００２５】  通信部３１は、侵入信号Ｗにより、読み出し部２９から受けた観測電波のデータＤ、即ち周波数ＭＨｚ、波形（スペクトラム）、電界強度Ｅｈ、映像信号、音声信号と自己のＩＤとをインターネットを介して管理者コンピュータ１３に送信する。
電波探索装置２０の警報ランプ又はブザー３２は、侵入信号Ｗを受けて赤く点滅しまたはブザー音を発生する。当該脱衣所１の管理・担当者が居る場合は、直接盗聴・盗撮装置１０が仕掛けられたことを認識し、対処措置を実行できる。
当該脱衣所１の管理・担当者が居ない場合が多く、管理者コンピュータ１３からの通知が主となる。【００２６】  図３の管理者コンピュータ１３はインターネット１１を介して、ＣＰＵ３３による計測時間軸の時間ｔｈに対応した観測電波のデータＤ、即ち周波数ＭＨｚ、波形（スペクトラム）、電界強度Ｅｈ、映像信号、音声信号と当該事務所のＩＤを受信し、ＲＡＭ１２に一時記憶する。
中央制御部ＣＰＵ１５は、受信した事務所のＩＤが顧客ファイル１６にある識別コードＩＤ５０と一致するかどうかを検索し、このシステムの加入者（料金を支払っている）であることを確認する。【００２７】  次に中央制御部ＣＰＵ１５は、ＲＡＭ１２から時間ｔｈに対応した観測電波のデータＤ、即ち周波数ＭＨｚ、波形（スペクトラム）、電界強度Ｅｈ、映像信号、音声信号と当該事務所のＩＤを記憶装置１９に転記する。
次にＣＰＵ１５は送信者の氏名、住所、設置場所位置、電話番号、メールアドレスを表示部ＬＣＤ２１に表示する。
更に中央制御部ＣＰＵ１５は時間ｔｈに対応した観測電波のデータＤ、即ち周波数ＭＨｚ、波形（スペクトラム）、電界強度Ｅｈのグラフを表示部２１に表示する。
ＣＰＵ１５は警告部３２から警報信号Ｒを読出し、警報ランプ３６を点灯し、表示部ＬＣＤ２１に盗聴発生文字を表示し、管理者コンピュータ１３の常勤管理者に知らせる。【００２８】管理者は送信者の氏名、住所、設置場所位置、電話番号、メールアドレスを表示部ＬＣＤ２１上で確認し、キーを使用して緊急プログラム３５及びビデオ送信命令３９を入力する。ＣＰＵ１５は緊急プログラム３５及びビデオ送信命令３９を読み出し、通信制御部１４を介しインターネット１１を通して該当電波探索装置２０に送信する。
緊急プログラム３５を受けた電波探索装置２０の周波数スキャン部２３は、観測電波のデータＤを発生した周波数ＭＨｚ帯に時間をかけて、或は繰返し同調（チューニング）するように動作する。従って、比較的多量の観測電波に関するデータＤ（周波数ＭＨｚ、波形（スペクトラム）、電界強度Ｅｈ、映像信号、音声信号）が補足できる。
ビデオ送信命令３９を受けたＣＰＵ３はメモリ８から警報信号Ｒ発生時間ｔｈの所定時間前、例えば５分前からのビデオデータを読み出す。【００２９】当該電波探索装置２０から観測電波に関する多量のデータＤ及び５分前からのビデオデータが管理者コンピュータ１３に返送されて来て、表示部ＬＣＤ２１に当該周波数ＭＨｚ、波形（スペクトラム）が表示される。更に映像信号であれば、映像がリアルタイムで表示され盗聴・盗撮装置１０が仕掛けら（設置さ）れた位置を視線とする映像となる。音声信号であれば、音声がリアルタイムでスピーカー３７から聞こえてくる。
５分前からのビデオデータがハードディスク７に記録され、逐次再生され表示部ＬＣＤ２１に同時に表示される。管理者はこれら映像又は音声を見・聞きして盗聴・盗撮を確認し、当該事務所に連絡する。また５分前からのビデオ映像を観察して、仕掛け人の発見に努めることができる。【００３０】  管理者コンピュータ１３の中央制御部ＣＰＵ１５は、当該メールアドレスｚｙｘ＠ｃｂａ．ｃｏｍに向けて、“盗聴有り、盗聴・盗撮装置１０：送信機（盗聴器）の予測した設置位置図面、送信機メーカー名及び送信機（盗聴器）名等と仕掛け人らしい人物の情報をインターネット１１上に送信する。
あるいは常勤管理者が顧客ファイル１６を見て、当該顧客（所有者、運営者）の携帯電話や固定電話に電話をかけて“盗聴・盗撮有り”を直接伝達する。【００３１】  盗聴・盗撮装置１０も盗聴者が自作の未知周波数送信機を使用することは極めてまれであり、実際には市販の送信機が使われる。市販の送信機はその説明書に使用周波数が例えば、３９９．４５５ＭＨｚと明記されている。
送信機メーカーをインターネット上で検索し、商品としての送信機データを集めることで電波ファイル１７に多くのデータを蓄積できる。【００３２】  盗聴者が自作の未知周波数送信機を作る場合でも、発信機素子は所定の周波数の倍数になるので、使用可能性を決めて予想設定することは容易である。
同様に、隠しカメラからのビデオ送信の場合も、搬送波は予想することが当業者には容易である。
このような電波探索装置２０は、会議場所や施設、あるいは個人の私的な空間等に設置されるか、あるいは携帯して移動させることによって持続的に電波を受信するようになる。受信された電波のうちには通常の周辺家電機器や通信機器から受信された電波も存在するもあるが、管理者は３５により詳しく調べられるので、誤報は極めて少なくすることができる。【００３３】  電波探索装置２０を所定の場所に配置するか、あるいはシステム加入者が持って歩きながら常時居場所で発生可能な電波を受信できる。加入者が直接持って歩きながら電波を受信するならば一つの電波探索装置２０のみでも充分であるが、いろいろな所に配置することを望むならば少なくとも２ケ以上の電波探索装置２０が必要となる。【００３４】  加入者は管理者から電子メールや電話を受信し、その画面を確認することによって、自身の周辺に盗聴・盗撮装置１０の有無を、より明確で信頼性があるように把握でき、今後の状況に対処するのが容易になる。
このように、本発明によると、盗聴・盗撮装置１０の存在の有無を加入者がいつでも便利にチェックできるだけでなく、その存在の有無を常にチェックできるので安全な保安環境を持続的に維持できる効果がある。盗聴・盗撮装置１０の設置位置までも解かることができて、状況に対処することができるので非常に有益である。【００３５】  本発明を実施例によって詳細に説明したが、本発明は実施例によって限定されず、本発明が属する技術分野において通常の知識を有するものであれば本発明の思想と精神を離れることなく、本発明を修正または変更できる。
【産業上の利用可能性】
【００３６】  現代人が、避けることができない盗聴・盗撮という外部からの侵害に充分対応できる。既存のカメラ監視システムと組み合わせて、完璧な盗聴・盗撮予防システムが構築できる。本発明のシステムはコンパクト化が可能であり、それによって一般個人や中小企業人らに至るまで多様な階層で安い値段で、場所にかかわらず簡便に普及し、使用することができる。
【図面の簡単な説明】
【００３７】
【図１】この発明のインターネットを利用した盗聴器・隠しカメラの検知装置の全体構成を示す図である。
【図２】この発明の顧客・加入者側の電波探索装置の構成を示す図である。
【図３】この発明の管理者コンピュータの構成を示す図である。
【符号の説明】
【００３８】１  事務所
２  置き棚
３  高い棚
４  テーブル
５  電子カメラ
６  ドア
７  ハードディスク
８  メモリ
９  通信回線
１０  盗聴・盗撮影装置
１１  インターネット
１２  演算用メモリ
１３  管理者コンピュータ
１４  通信制御部
１５  中央制御部ＣＰＵ
１６  顧客ファイル
１７  電波ファイル
１８  判定部
１９  記憶装置
２０  電波探索装置
２１  アンテナ
２１  表示部ＬＣＤ
２２  方位検出器
２３  周波数スキャン部
２４  映像メモリ
２５  電波メモリ
２６  高周波増幅器
２７  基準電圧メモリ
２８  比較部
２９  出力制御部
３０  パソコン
３１  通信部
３２  警告部
３３  ＣＰＵ
３４  通常プログラム
３５  緊急プログラム
３６  警報ランプ
３７  スピーカー
３８  映像・音声分離回路
３９  ビデオ送信命令
５０  識別コードＩＤ
Ｅ  電界強度
Ｅｓ  基準電圧
Ｋ  警告信号
Ｒ  警報信号Ｒ
Ｗ  侵入信号
ｔ１、ｔ２、ｔ３  時間
【図１】
2008140347.tif 000003
【図２】
2008140347.tif 000004
【図３】
2008140347.tif 000005